(57)【要約】      （修正有）【課題】食器棚の一部を、食品や食材を常温で脱臭状態に保存できるようにする。木製収納家具に調湿機能又は消臭機能、又は殺菌機能を付与するための構造を、従来のものより簡略化した木製収納家具を提供する。【解決手段】脱臭・殺菌な部材で構成された食器保存収納室を有する木製食器棚家具であって、前記食器収納室の内部の棚板部表面と、および食器棚内のカウッター部表面との５０〜１００％の面積に酸化チタン系光触媒をコートした部材とした脱臭機能及び殺菌機能を有する光触媒機能性部材５，６を貼り付け、組み込まれている光触媒塗膜材内装食器棚である。【選択図】図１
0003190464.tif 000002
【実用新案登録請求の範囲】
【請求項１】
脱臭・殺菌な部材で構成された食器保存収納室を有する木製食器棚家具であって、前記食器収納室の内部の棚板部表面と、および食器棚内のカウッター部表面との５０〜１００％の面積に酸化チタン系光触媒をコートした部材とした脱臭機能及び殺菌機能を有する光触媒機能性部材を貼り付け、組み込まれていることを特徴とする光触媒塗膜材内装食器棚。
【請求項２】
酸化チタン系光触媒をコートした部材は、チタン溶液から作製した水酸化チタンゲルに過酸化物を作用させることにより作製した液体を加熱処理した酸化チタンを含む液体を塗布・乾燥、あるいは塗布乾燥後加熱処理をしたチタニア膜コートを施した塗膜木製板を食器棚のカウンター部、および食器収納室内部の棚材部の全面もしくは部分に使用されていることを特徴とする請求項１に記載の光触媒塗膜材内装食器棚。
【請求項３】
塗布乾燥後加熱処理をしたチタニア膜コートにおいて、乾燥あるいは低温加熱処理で比較的密度の高い結晶性チタニア薄膜を熱処理して、耐酸性や光触媒活性等に優れるチタニア膜の０．１〜５μｍの緻密な塗布膜を形成している結晶性チタニア薄膜である木製平板で構成されていることを特徴とする請求項１、又は請求項２に記載の光触媒塗膜材内装食器棚。
【考案の詳細な説明】
【技術分野】
【０００１】本考案は、食器を衛生的に常温で保存する食器保存庫内において、脱臭機能及び殺菌機能を有する家庭用の食器棚に関する。木製収納家具に調湿機能又は消臭機能を付与するための構造を従来のものより簡略化して比較的容易に製造することができるものにおいて、作業性や歩留まりを良くした木製収納家具に関する。
【背景技術】
【０００２】一般に、調理した食品や食べ残った惣菜類は、冷蔵庫に入れる場合が多いが、焼き魚などのように冷蔵庫で冷却することを不要とするものもあり、このような食品や惣菜類は食卓やテーブルの上に置かれる場合がある。しかし、これでは食卓やテーブルの上が狭くなり、本来の食卓やテーブルの使用機能が低下半減する。また、日本の住宅事情や子供の居る家庭では食卓やテーブルの上に食品や惣菜類を置いたままでは、食器ごとひっくり返したり、転倒させたりする危険性がある。その為、一般的に、そのような食品は食器棚の一部に収納しているのが現状である。【０００３】食器戸棚や本棚等、物品を収納する家具において、収納部内部の湿度を調節して黴の発生を防止したり悪臭の発生を防止する、調湿機能又は消臭機能を有する家具の一例としては、例えば特許文献１に開示された「調湿剤とそれを配置した家具類」がある。【０００４】この家具類は、４００〜９００℃で炭化した桐炭を平均直径１０〜２０ｍｍの破砕粒とした調湿剤を通気性の袋に収納する等し、家具において収納物の収納には影響を与えず、且つ、通気性の良い箇所に、調湿剤を配置したものであり、炭化した桐材の優れた抗菌、消臭、除湿の特性と吸着性を利用して、特に、衣類、食物の調湿状態を維持するというものである。【０００５】食器棚の一部を、食品や食材を常温で脱臭状態に保存できるようにするために、食器棚本体の一部に食品保存室を設け、この室の内壁に酸化チタンからなる光触媒４を塗布し、光触媒に紫外線をブラックライトで照射する。これにより食品保存室内の食品からの臭気成分は光触媒４の表面に吸着され、吸着された臭気成分は紫外線による光触媒の作用により分解されて無臭成分となる。酸化チタンからなる光触媒は半永久的に使用でき、活性炭フィルターのように面倒な交換が不要となり、メンテナンスが簡略化できる（特許文献２参照）。【０００６】机面板１と、該机面板１を支える脚とを備えた学習机において、前記机面板１の表面に光触媒を配設したことを特徴とするものである（特許文献３参照）。【０００７】住宅建材、家具、壁紙等から揮散される有害なＶＯＣを吸着・分解する機能を有し且つ諸物性に優れている塗膜の形成が可能で、室内に好適に使用できる水性塗料組成物を提供するために、多段乳化重合法によって得られる異相構造粒子含有エマルションと、フライポンタイト等の特定の気体分子吸着活性物質とを必須成分として含有し、更に、光触媒活性を有する無機化合物等のその他の気体分子吸着活性物質又は分解活性物質を含有する水性塗料組成物である（特許文献４参照）。【０００８】ポリエステル化粧板は、ポリエステル樹脂塗料の主原料であるスチレンモノマーの残留成分の臭気や、使用する基材から発散するホルマリン臭やスチレン臭が悪臭となって、鼻につくことや目に刺激があるとされている。化粧板の表面に、光触媒作用のある酸化チタンを、マイクロカプセルに封入したウレタン塗料を塗布することによって、これらの悪臭を吸収分解するばかりか、周囲のアンモニア臭のような悪臭も分解するもので、家具や建具の表面材として、或はトイレのドア材として広く使用でシックハウス症候群を防ぐことができる（特許文献５参照）。【０００９】木製収納家具に調湿機能又は消臭機能を付与するための構造を、従来のものより簡略化し、比較的容易に製造できるようにしたものにおいて、作業性や歩留まりを良くした木製収納家具を提供する（特許文献６参照）。しかし光触媒を使用した殺菌効果をもたらした食器棚は存在していない。
【先行技術文献】
【特許文献】
【００１０】
【特許文献１】特開平１１−５６９８８号公報、特開平２００７−２３６７４９号公報
【特許文献２】特開平０９−２１５５３９号公報
【特許文献３】特開平０９−２０６１３６号公報
【特許文献４】特開２００４−１４９６８６号公報
【特許文献５】特開２００２−１３７３３２号公報
【特許文献６】特開２０１３−１４１５０３号公報
【特許文献７】特開２００１−４８５３８号公報
【特許文献８】特開平０９−７１４１８号公報
【考案の概要】
【考案が解決しようとする課題】
【００１１】調理した食品や惣菜類を食器棚の一部に収納すると、食器棚それ自体が脱臭機能を持たないため、臭い移りの激しい食品の場合その臭いが充満して、食器棚の内壁や食器に臭いがこびりついて取れなくなるという不具合がある。そこで、活性炭を使用した脱臭方式が存在するが、活性炭は一定期間が過ぎると、臭気成分の吸着量が飽和状態に達し、脱臭機能が著しく低下してしまう。吸着した飽和状態の臭気成分はその状態のままでは、反対に臭気やカビの発生源となりかねないため、活性炭の面倒な交換を頻繁に行う必要がある。【００１２】また、上記以外の方式で食器棚の一部の庫内に白金触媒を担持した触媒を設置すると、これを高温にて加熱することで脱臭効果が得られるが、その際発生する熱による室内温度の上昇に伴い、使用される電気量が多いため、庫内を脱臭し、食品を保存するに適する環境とはいえなかった。【００１３】本目的は、このような問題を解消するためになされたもので、活性炭や白金触媒などを用いることなく、食器棚の一部に食品を脱臭状態に常温で保管、保存できる安心安全な食器棚を提供するにある。
従来の家具においては、衛生的処理が定期的且つ完全でないため、雑菌・ダニ・埃・たばこの煙等の汚れが付着して堆積し、そのうち菌種によっては繁殖をも引き起こすこととなった。このため、人が家具に触れることで繁殖した雑菌が身体に付着し、傷口や食事の際等により雑菌が身体に入り、雑菌によって身体への影響が現れる場合があった。【００１４】また、たばこの煙等の臭いを有するものにおいては、その臭いが家具に付着するため、次にその家具を使用する者、特にたばこを吸わない使用者に対しては不快感を与えていた。【００１５】上記課題に鑑み、簡単な構造により殺菌・脱臭効果の優れた家具を提供することを目的とするものである。
家具において収納物の収納には影響を与えず、且つ、通気性の良い箇所に、調湿剤を配置するために、家具に専用の配置箇所を形成したり、通気のための穴を形成する等、製造時において各部に様々な加工を施す必要がある。このため、家具の構造が複雑化すると共に、製造時の作業性が悪くなりやすく、製造しにくくなっていた。【００１６】前記課題を解決するための手段として、近年注目されてきている光触媒の機能性部材に着目した。前記機能性部材を収納家具に利用しようとする場合、次のような課題があった。すなわち、特に木製の収納家具の製造にあたって、背面板等の構成部材を組み込んだり取り付ける作業において、壁面部材や天部材の溝に構成部材を入れた後、天部材に圧力又は打力（叩力）を加えて各部材を固着する作業が行われ、構成部材にはその際に相応の応力と衝撃が加わる。【００１７】また、このような不都合を回避するために、木製収納家具を組み立てた後に、構成部材である背面板等に機能性部材を接着剤等で貼設する作業を行うようにすると、収納部を構成する枠材等が作業の邪魔になり作業がしにくくなるのに加えて、特に家具を立てて作業した場合、貼設した機能性部材が垂れ落ちて補修する手間を要することがある等、安定した品質を得るためには、作業に要する時間が長くなり、作業性が極めて悪くなる課題があった。【００１８】木製収納家具に調湿機能又は消臭機能を付与するための構造を、従来のものより簡略化し、比較的容易に製造できるようにしたものにおいて、作業性や歩留まりを良くした木製収納家具を提供することを目的とする。【００１９】また、本発明の他の目的は、前記目的の達成のため、光触媒の機能性部材を使用することで木製収納家具の収納部内の湿度を調整したり消臭する等、収納部又は収納部周りの空気環境を改善したり良好に維持することができるようにし、且つこの木製収納家具を製造するにあたり、機能性部材が破損したり脱落したりしないようにすると共に、良好な作業性を確保して比較的容易に製造することができる木製収納家具を提供することである。
【課題を解決するための手段】
【００２０】脱臭・殺菌な部材で構成された食器保存収納室を有する木製食器棚家具であって、前記食器収納室の内部の棚板部表面と、および食器棚内のカウッター部表面との５０〜１００％の面積に酸化チタン系光触媒をコートした部材とした脱臭機能及び殺菌機能を有する光触媒機能性部材を貼り付け、組み込まれている光触媒塗膜材内装食器棚である。【００２１】酸化チタン系光触媒をコートした部材とした脱臭機能及び殺菌機能を有する光触媒機能性部材は、チタン溶液と塩基性溶液から作製した水酸化チタンゲルに過酸化水素水を作用させることにより合成した液体を８０℃以上の加熱処理することにより合成した酸化チタンを含む液体を塗布乾燥あるいは塗布乾燥後加熱処理をしたチタニア膜コートを施した塗膜木製板であって、その部材を食器棚の食器収納室棚板部、及びカウンター部に有する。【００２２】光触媒をコーティングした塗膜木板は、チタンを含む水溶液と塩基性物質から作製した水酸化チタンゲルに過酸化水素水を作用させ合成したチタニア膜形成用液体を８０℃以上の加熱処理あるいは加圧処理することにより生成した酸化チタン微粒子のチタニア膜形成用液体を、木製板基体に塗布あるいは含浸させ、乾燥あるいは加熱処理して作製したチタニア膜になっている。【００２３】塗布乾燥後加熱処理をしたチタニア膜コートにおいて、乾燥あるいは低温加熱処理で比較的密度の高い結晶性チタニア薄膜を２００℃以下の温度で生成して、耐酸性や光触媒活性等に優れるチタニア膜の０．１〜５μｍの緻密な塗布膜を形成している結晶性チタニア薄膜である木製平板で構成されている。【００２４】食器棚本体の一部に食器収納室を設け、その食器収納室の棚板部の全面もしくは一部に、光触媒をコーティングした塗膜材を取り付け、前記食器収納室の内部に、紫外線を照射する紫外線照射手段が取り付けることもできる、また前記食器収納室の内部に、紫外線照射手段から紫外線を十分に照射できるように食器棚板部を取り外し可能にしている。【００２５】食器棚本体の一部である食器収納室の内面側に脱臭機能及び殺菌機能の光触媒機能性部材が貼り付けられている部材を有する木製収納家具であって、食器収納室の内面側に前記機能性部材を全面、又は一部に貼り付け、組み込まれていることもできる。上記の構成において、食品、食器からの臭気成分は食器収納室の内壁に塗布された光触媒の表面に吸着される。吸着された臭気成分は、外部の光、或は紫外線による光触媒の作用により分解されて無臭成分となる。【００２６】木製収納家具は、収納部を構成する内面側に、光触媒の機能性部材が貼り付けられている構造であるので、従来のように家具に専用の配置箇所を形成したり、通気のための穴を形成する等、製造時において各部に様々な加工を施す必要はなく、木製収納家具に殺菌機能や消臭機能等を付与するための構造を従来のものより簡略化できる。したがって、このような機能性を有する木製収納家具を比較的容易に製造することが可能になる。【００２７】一般的なチタニア膜は、具体的に原料として四塩化チタン６０％溶液を蒸留水で５００ｃｃとした溶液にアンモニア水（１：９）を滴下し、水酸化チタンを沈殿させた。蒸留水で洗浄後、過酸化水素水３０％溶液を���えかき混ぜ、チタンを含む黄色粘性液体（ゾル溶液）を作製することができた。過酸化水素を加えた直後は酸素が発生し発泡するが、余分な過酸化水素が分解した後に発泡はおさまり、常温常圧の下で６カ月たっても変化がなかった。ｐＨは中性であった。基板として木製板を用い、ゾル溶液を塗布後、各種温度で熱処理した。１〜３回の塗布で得られた膜の厚みは０．１〜５μｍ程度であった。
【考案の効果】
【００２９】食器収納室の内壁に塗布した光触媒の作用で外部の光、及び紫外線による臭気成分の吸収・分解、及び殺菌できるので、食器保存室内の食品から発生する強烈な臭気成分も脱臭され、また清潔を保てられる。塗布した光触媒のコート膜は劣化せず、半永久的に使用できるので、メンテナンスが簡略化できる。【００３０】コーティングした光触媒塗膜材の使用により、脱臭・殺菌機能を持った食品、食器保存機能付き食器棚を簡単に得ることができる。食器棚を取り付けることにより、食器を立てかけて収納でき、光照射による食器の殺菌や食器に付いた雑菌等の繁殖防止に使用できる。食器保存室全面に光照射を乱反射する構造体にすることができて、微量の光照射を効率よくでき、脱臭、殺菌機能をより強力かつ効果的にすることができる。【００３１】食器棚の棚板とカウンターの表面に光触媒を配設したので、前記光触媒に該光触媒を活性化させる光が照射されることによって該光触媒が励起され、前記棚内が設置されている環境を身体などにより持ち込まれた雑菌・ダニ・埃・たばこの煙等は前記光触媒の励起状態における化学反応の作用より殺菌・脱臭される。【００３２】随時、衛生的に優れ、心地よい家具を提供することができる。木製収納家具において、光触媒の機能性部材を使用することで木製収納家具の収納部内の湿度を調整したり消臭する等、収納部又は収納部周りの空気環境を改善したり良好に維持することができ、且つこの木製収納家具を製造するにあたり、機能性部材が破損したり脱落したりしないようにすると共に、良好な作業性を確保して比較的容易に製造することができる木製収納家具及びその製造方法を提供できる。
【図面の簡単な説明】
【００３２】
【図１】光触媒塗膜材内装食器棚の一実施の形態を示す斜視図。
【図２】光触媒塗膜材食器棚の食器収納室の光触媒塗膜コート部分の説明図。Ａ：斜視図  Ｂ：正面図
【図３】光触媒塗膜材食器棚の収納棚板部とカウンター部を持つ食器棚の正面図。Ａ：斜視図  Ｂ：正面図
【図４】食器棚の光触媒塗膜を拡大した説明図。Ａ：従来の酸化チタンの状態  Ｂ：本願の酸化チタンの状態
【図５】光触媒塗膜材を使用した食器収納棚とカウンターを持つ家具で使用実施形態を示す図。Ａ：斜視図  Ｂ：正面図
【図６】消臭におけるアセトアルデヒドの分解テスト結果図
【考案を実施するための形態】
【００３３】図１及び図２は本考案の実施形態を示す。図５は家庭用の食器を収納する食器棚を示しており、この食器棚本体の一部に、保管できる食器保存室を形成し、この食器保存室は扉で開閉する。その食器保存室の内壁には、図４にその断面図を示すように、酸化チタン（ＴｉＯ２）等の光触媒と吸着剤の混合物をゾルゲル法により薄膜を形成するようにコーティングした。
【００３４】食品収納室内には、光照射により食品から発生する食器収納室内の臭気、微生物菌が分解・吸着・殺傷され、食品収納室の内壁に臭い、菌がこびり付くのを防ぐことができる。
【実施例１】
【００３５】この食器棚は、図２に示すように食器収納棚と引出からなって、材料として木製の化粧合板として、全体寸法として幅１２００ｍｍ、奥行き４５０ｍｍ、高さ１８５０ｍｍで、食器収納室の寸法として幅１２００ｍｍ、奥行き４００ｍｍ、高さ１０００ｍｍで幅９５０ｍｍ、奥行き３５０ｍｍの棚部でなっており、当該棚部に光触媒をコーティングした塗膜木板とした。生成した酸化チタン微粒子のチタニア膜塗料を、木製板基体に塗布させ、乾燥あるいは加熱処理して作製したチタニア膜は、チタンを含む水溶液と塩基性物質から作製した水酸化チタンゲルに過酸化水素水を作用させ合成したチタニア膜形成用塗装液体を塗布して、塗布後５０℃の温度で加熱処理した。生成した酸化チタン微粒子のチタニア膜塗料を、木製板基体に塗布させ、乾燥あるいは加熱処理して作製した。【００３６】塗布乾燥後加熱処理をしたチタニア膜コートにおいて、乾燥あるいは低温加熱処理で比較的密度の高い結晶性チタニア薄膜を５０℃の温度で生成して、耐酸性や光触媒活性等に優れるチタニア膜の０．２μｍの緻密な塗布膜を形成している結晶性チタニア薄膜である木製平板で構成した。これによれば、簡単に食品収納室内に脱臭、殺菌機能を持たせることができた。【００３７】この実施形態では食品収納室の棚部に木製板などで形成されるチタニア膜の板を設け、この光触媒チタニア膜を塗布したことによれば、日光、或は照明の照射が食器収納室内に乱反射する構造体になり、より効率的に紫外線などの光を照射できて、光触媒の脱臭作用及び殺菌作用を励起して効果を増した。【００３８】この食器収納室内に、食器を立てかけられるようなかご等からなる棚を取り外し可能にした。これによれば、食器や食材を保存、保管するときはその食器棚は取り外されるが、食品や食材を保存しないときはその食器棚部に食器を収納することによって、日光、或は照明の照射によって食器棚の表面に照射することで、脱臭機能以外に、食器の雑菌の繁殖を防ぐことができた。食器収納棚には、臭いはなく、清潔に保たれた。
臭気テストとして、アセトアルデヒドの分解テストを行ったところ、図６に示すように、８割程度消臭ができた。
また黄色ブドウ球菌の減少状況をテストしたところ、９９％以上除菌が可能であった。
【実施例２】
【００３９】この食器棚は、食器収納棚部とカウンター部と引出からなって、材料として木製の無垢材として、全体寸法として幅１２００ｍｍ、奥行き４５０ｍｍ、高さ１８５０ｍｍで、食器収納室の寸法として幅１２００ｍｍ、奥行き４００ｍｍ、高さ４００ｍｍで幅９５０ｍｍ、奥行き３５０ｍｍの棚部、幅１２００ｍｍ、奥行き４５０ｍｍのカウンター部でなっており、当該棚部とカウンター部に光触媒をコーティングした塗膜木板とした。生成した酸化チタン微粒子のチタニア膜塗料を、木製板基体に塗布させ、乾燥あるいは加熱処理して作製したチタニア膜は、チタンを含む水溶液と塩基性物質から作製した水酸化チタンゲルに過酸化水素水を作用させ合成したチタニア膜形成用塗装液体を塗布して、塗布後５０℃の温度で加熱処理した。生成した酸化チタン微粒子のチタニア膜塗料を、木製板基体に塗布させ、乾燥あるいは加熱処理して作製した。【００４０】食器棚の棚部とカウッター部に光触媒をコーティングは次のように行った。塗料原料は、四塩化チタン６０％溶液５０ｃｃを蒸留水で５０００ｃｃとした溶液にアンモニア水（１：９）を滴下し、水酸化チタンを沈殿させた。蒸留水で洗浄後、過酸化水素水３０％溶液を１００ｃｃ加えかき混ぜ、チタンを含む黄色粘性液体（ゾル溶液）７００ｃｃを作製することができた。常温常圧の下で６カ月たっても変化がなかった。ｐＨは６．４で中性であった。基板として木製板を用い、ゾル溶液に侵漬乾燥後、各種温度で熱処理した。２回の塗布で得られた膜の厚みは０．２５μｍ程度であった。【００４１】この実施形態では食品収納室内の棚部に、食器を立てかけられるようなかご等からなる棚部板を取り外し可能に取り付けた。これによれば、食器、食品や食材を保存、保管するときはその食器棚は取り外されるが、食品や食材を保存しないときはその食器棚に食器を収納することによって、太陽光、あるいは照明の光で、食器の表面に光源が照射できて、脱臭機能以外に、食器の雑菌の繁殖を防ぐことができた。【００４２】この食品収納室の棚板、及びカウンター部使用した木製板などで形成されるチタニア膜の板を設け、この木製上に塗膜した光触媒チタニア膜によって、食器、食品収納室内に乱反射する構造体になり、より効率的光触媒の脱臭作用及び殺菌作用を励起した。脱臭機能以外に、食器の雑菌の繁殖を防ぐことができた。食器収納棚、およびカウンター部には、臭いはなく、清潔に保たれた。
【実施例３】
【００４３】この食器棚は、食器収納棚と引出からなって、材料として木製の無垢材として、全体寸法として幅１２００ｍｍ、奥行き４５０ｍｍ、高さ１７００ｍｍで、食器収納室の寸法として幅１２００ｍｍ、奥行き４００ｍｍ、高さ７００ｍｍで幅１１５０ｍｍ、奥行き３５０ｍｍの棚部、幅１１５０ｍｍ、奥行き５００ｍｍのカウンター部でなっており、当該棚部の半分とカウンター部の全体に光触媒をコーティングした塗膜木板とした。生成した酸化チタン微粒子のチタニア膜塗料を、木製板基体に塗布させ、乾燥あるいは加熱処理して作製したチタニア膜は、チタンを含む水溶液と塩基性物質から作製した水酸化チタンゲルに過酸化水素水を作用させ合成したチタニア膜形成用塗装液体を塗布して、塗布後５０℃の温度で加熱処理した。生成した酸化チタン微粒子のチタニア膜塗料を、木製板基体に塗布させ、乾燥あるいは加熱処理して作製した。【００４４】この実施形態では食品収納室内の棚部に、食器、食品や食材を保存、保管するときはその食器棚部は取り外されるが、食品や食材を保存しないときはその食器棚に食器を収納することによって、カウンター部として太陽光、あるいは照明の光で、食器の表面に光源が照射できて、脱臭機能以外に、食器の雑菌の繁殖を防ぐことができた。【００４５】この食品収納室の棚板、及びカウンター部使用した木製板などで形成されるチタニア膜の板を設け、この木製上に塗膜した光触媒チタニア膜によって、食器、食品収納室内に乱反射する構造体になり、より効率的光触媒の脱臭作用及び殺菌作用を励起した。脱臭機能以外に、食器の雑菌の繁殖を防ぐことができた。食器収納棚、およびカウンター部には、臭いはなく、清潔に保たれた。
【符号の説明】
【００４６】１  木製収納家具
１  収納棚板部
３  側面板
４  カウンター部
５  光触媒コート棚板
６  光触媒コートカウンター板
７  下部収納部
８  引き戸
９  裏板
１０  引出収納部
１１  ガラス戸部
１２  天板
１３  正面扉
１４  収納部
１５  引出
１６  酸化チタン
１７  基材（塗装面）
１８  バインダー
【図１】
0003190464.tif 000003
【図２】
0003190464.tif 000004
【図３】
0003190464.tif 000005
【図４】
0003190464.tif 000006
【図５】
0003190464.tif 000007
【図６】
0003190464.tif 000008
【手続補正書】
【提出日】平成26年2月17日(2014.2.17)
【手続補正１】
【補正対象書類名】実用新案登録請求の範囲
【補正対象項目名】請求項１
【補正方法】変更
【補正の内容】
【請求項１】
脱臭・殺菌な部材で構成された食器収納室を有する木製食器棚家具であって、前記食器収納室の内部の棚板部表面と、および食器棚内のカウンター部表面との５０〜１００％の面積に酸化チタン系光触媒をコートした部材とした脱臭機能及び殺菌機能を有する光触媒機能性部材を貼り付け、組み込まれていることを特徴とする光触媒塗膜材内装食器棚。